【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  記録ヘッドに設けられた電気熱変換体により発生する熱エネルギーを利用して吐出口から被記録媒体にインクを吐出して記録を行うインクジェット記録装置において、
前記電気熱変換体を駆動するための駆動パルスを印加する駆動手段と、
前記記録ヘッドから吐出したインク吐出数を計数する計数手段と、
前記被記録媒体への記録時に前記電気熱変換体へ印加する駆動パルスとは異なる駆動パルスを前記電気熱変換体に印加して、前記記録ヘッドの回復動作を行う回復手段と、
前記インク吐出数が所定数に達したときに、前記回復動作を行う間隔を、当該間隔が短くなるよう設定する設定手段と、
を有し、前記回復手段は前記設定手段によって設定された間隔毎に前記回復動作を行うことを特徴とするインクジェット記録装置。
【請求項２】  前記設定手段は、前記計数手段により計数した累積のインク吐出数が前記所定数よりも多い数に定められた閾値を超えた後は、前記累積のインク吐出数によらず前記回復動作を行う間隔を一定とすることを特徴とする請求項１に記載のインクジェット記録装置。
【請求項３】  前記設定手段は、前記被記録媒体に記録を行うときの記録品質に応じて前記回復動作を行う間隔を設定することを特徴とする請求項１または２に記載のインクジェット記録装置。
【請求項４】  前記設定手段は、前記記録ヘッドから吐出するインクの種類毎に前記回復動作を行う間隔を設定することを特徴とする請求項１乃至３のいずれかに記載のインクジェット記録装置。
【請求項５】  記録ヘッドに設けられた電気熱変換体により発生する熱エネルギーを利用して吐出口から被記録媒体にインクを吐出して記録を行うインクジェット記録装置において、
前記電気熱変換体を駆動するための駆動パルスを印加する駆動手段と、
前記吐出口から吐出されたインク液滴の吐出速度を測定する測定手段と、
前記被記録媒体への記録時に前記電気熱変換体へ印加する駆動パルスとは異なる駆動パルスを前記電気熱変換体に印加して前記記録ヘッドの回復動作を行う回復手段と、
前記吐出速度が所定速度を下回ったときに前記回復動作を行うよう制御する制御手段と、
を有することを特徴とするインクジェット記録装置。
【請求項６】  前記制御手段は、先の回復動作から次の回復動作までの間隔が所定の間隔よりも短くなった後は、前記吐出速度によらず前記回復動作を行う間隔を一定とすることを特徴とする請求項５に記載のインクジェット記録装置。
【請求項７】  前記記録ヘッドから吐出したインク吐出数を計数する計数手段をさらに有し、
前記回復手段は、前記計数手段により計数した累積のインク吐出数が、所定の閾値を超えた後は、前記吐出速度によらず前記回復動作を行う間隔を一定とすることを特徴とする請求項５に記載のインクジェット記録装置。
【請求項８】  前記制御手段は、前記被記録媒体に記録を行うときの記録品質に対応して前記回復動作を行うよう制御することを特徴とする請求項５乃至７のいずれかに記載のインクジェット記録装置。
【請求項９】  前記制御手段は、前記記録ヘッドから吐出するインクの種類毎に前記回復動作を行うタイミングを異ならせることを特徴とする請求項５乃至８のいずれかに記載のインクジェット記録装置。
【請求項１０】  前記回復動作を行うときに印加される駆動パルスは、前記記録ヘッドから予備的にインクを吐出する予備吐出を行うときに印加される駆動パルスとも異なることを特徴とする請求項１乃至９のいずれかに記載のインクジェット記録装置。
【請求項１１】  前記駆動手段は、前記回復動作を行うときに前記電気熱変換体により発生する熱エネルギーが、前記被記録媒体に記録を行うときに発生する熱エネルギーよりも高くなるように前記駆動パルスを印加することを特徴とする請求項１乃至１０のいずれかに記載のインクジェット記録装置。
【請求項１２】  記録ヘッドに設けられた電気熱変換体により発生する熱エネルギーを利用して吐出口からインクを吐出する記録ヘッドと、前記電気熱変換体を駆動するための駆動パルスを印加する駆動手段と、被記録媒体への記録時に前記電気熱変換体に印加する駆動パルスとは異なる駆動パルスを前記電気熱変換体に印加して、前記記録ヘッドの回復動作を行う回復手段と、を有し、前記記録ヘッドを用いて前記被記録媒体に記録を行うインクジェット記録装置の回復方法であって、
前記記録ヘッドから吐出したインク吐出数を計数する計数工程と、
前記インク吐出数が所定数に達したときに、前記回復動作を行う間隔を、当該間隔が短くなるよう設定し、該設定した間隔毎に前記回復動作を行う回復工程と、
を有することを特徴とするインクジェット記録装置の回復方法。
【請求項１３】  前記回復工程は、前記計数工程により計数した累積のインク吐出数が前記所定数よりも多い数に定められた閾値を超えた後は、前記累積のインク吐出数によらず前記回復動作を行う間隔を一定とすることを特徴とする請求項１２に記載のインクジェット記録装置の回復方法。
【請求項１４】  記録ヘッドに設けられた電気熱変換体により発生する熱エネルギーを利用して吐出口からインクを吐出する記録ヘッドと、前記電気熱変換体を駆動するための駆動パルスを印加する駆動手段と、被記録媒体への記録時に前記電気熱変換体に印加する駆動パルスとは異なる駆動パルスを前記電気熱変換体に印加して、前記記録ヘッドの回復動作を行う回復手段と、を有し、前記記録ヘッドを用いて前記被記録媒体に記録を行うインクジェット記録装置の回復方法であって、
前記吐出口から吐出されたインク液滴の吐出速度を測定する測定工程と、
前記吐出速度が所定速度を下回ったときに前記回復動作を行うよう制御する制御工程と、
を有することを特徴とするインクジェット記録装置の回復方法。
【請求項１５】  前記制御工程は、先の回復動作から次の回復動作までの間隔が所定の間隔よりも短くなった後は、前記吐出速度によらず前記回復動作を行う間隔を一定とすることを特徴とする請求項１４に記載のインクジェット記録装置の回復方法。
【請求項１６】  前記記録ヘッドから吐出したインク吐出数を計数する計数工程を、さらに有し、
前記制御工程は、前記計数工程により計数した累積のインク吐出数が、所定の閾値を超えた後は、前記吐出速度によらず前記回復動作を行う間隔を一定とすることを特徴とする請求項１４に記載のインクジェット記録装置の回復方法。
【手続補正２】
【補正対象書類名】明細書
【補正対象項目名】００１２
【補正方法】変更
【補正の内容】
【００１２】
【課題を解決するための手段】
本発明は、記録ヘッドに設けられた電気熱変換体により発生する熱エネルギーを利用して吐出口から被記録媒体にインクを吐出して記録を行うインクジェット記録装置において、前記電気熱変換体を駆動するための駆動パルスを印加する駆動手段と、前記記録ヘッドから吐出したインク吐出数を計数する計数手段と、前記被記録媒体への記録時に前記電気熱変換体へ印加する駆動パルスとは異なる駆動パルスを前記電気熱変換体に印加して、前記記録ヘッドの回復動作を行う回復手段と、前記インク吐出数が所定数に達したときに、前記回復動作を行う間隔を、当該間隔が短くなるよう設定する設定手段と、を有し、前記回復手段は前記設定手段によって設定された間隔毎に前記回復動作を行うことを特徴とする。
【手続補正３】
【補正対象書類名】明細書
【補正対象項目名】００１３
【補正方法】変更
【補正の内容】
【００１３】
また、本発明は、記録ヘッドに設けられた電気熱変換体により発生する熱エネルギーを利用して吐出口から被記録媒体にインクを吐出して記録を行うインクジェット記録装置において、前記電気熱変換体を駆動するための駆動パルスを印加する駆動手段と、前記吐出口から吐出されたインク液滴の吐出速度を測定する測定手段と、前記被記録媒体への記録時に前記電気熱変換体へ印加する駆動パルスとは異なる駆動パルスを前記電気熱変換体に印加して前記記録ヘッドの回復動作を行う回復手段と、前記吐出速度が所定速度を下回ったときに前記回復動作を行うよう制御する制御手段と、を有することを特徴とする。
【手続補正４】
【補正対象書類名】明細書
【補正対象項目名】００１４
【補正方法】変更
【補正の内容】
【００１４】
また、本発明は、記録ヘッドに設けられた電気熱変換体により発生する熱エネルギーを利用して吐出口からインクを吐出する記録ヘッドと、前記電気熱変換体を駆動するための駆動パルスを印加する駆動手段と、被記録媒体への記録時に前記電気熱変換体に印加する駆動パルスとは異なる駆動パルスを前記電気熱変換体に印加して、前記記録ヘッドの回復動作を行う回復手段と、を有し、前記記録ヘッドを用いて前記被記録媒体に記録を行うインクジェット記録装置の回復方法であって、前記記録ヘッドから吐出したインク吐出数を計数する計数工程と、前記インク吐出数が所定数に達したときに、前記回復動作を行う間隔を、当該間隔が短くなるよう設定し、該設定した間隔毎に前記回復動作を行う回復工程と、を有することを特徴とする。
【手続補正５】
【補正対象書類名】明細書
【補正対象項目名】００１５
【補正方法】変更
【補正の内容】
【００１５】
また、本発明は、記録ヘッドに設けられた電気熱変換体により発生する熱エネルギーを利用して吐出口からインクを吐出する記録ヘッドと、前記電気熱変換体を駆動するための駆動パルスを印加する駆動手段と、被記録媒体への記録時に前記電気熱変換体に印加する駆動パルスとは異なる駆動パルスを前記電気熱変換体に印加して、前記記録ヘッドの回復動作を行う回復手段と、を有し、前記記録ヘッドを用いて前記被記録媒体に記録を行うインクジェット記録装置の回復方法であって、前記吐出口から吐出されたインク液滴の吐出速度を測定する測定工程と、前記吐出速度が所定速度を下回ったときに前記回復動作を行うよう制御する制御工程と、を有することを特徴とする。